(57)【要約】【課題】侵入者に対して、より威嚇効果の高いホームセキュリティシステムおよび警告支援方法を提供する。【解決手段】宅内に配置されたゲートウェイ１３と、当該ゲートウェイ１３に接続されるサーバ１１と、を有するホームセキュリティシステムであって、前記ゲートウェイ１３は、侵入者が検知されたことを、前記サーバ１１に通知し、前記サーバ１１は、前記ゲートウェイ１３からの通知を受け付けて、前記宅内の電話機１７と、あらかじめ登録された所定の電話機１８とを発呼し、前記宅内の電話機１７と前記所定の電話機１８とを接続する接続手段１１１を、有する。【選択図】図１
2008287485.tif 000002
【特許請求の範囲】
【請求項１】
宅内に配置されたゲートウェイと、当該ゲートウェイに接続されるサーバと、を有するホームセキュリティシステムであって、
前記ゲートウェイは、侵入者が検知されたことを、前記サーバに通知し、
前記サーバは、前記ゲートウェイからの通知を受け付けて、前記宅内の電話機と、あらかじめ登録された所定の電話機とを発呼し、前記宅内の電話機と前記所定の電話機とを接続する接続手段を、有すること
を特徴とするホームセキュリティシステム。
【請求項２】
請求項１記載のホームセキュリティシステムであって、
前記サーバの接続手段は、前記宅内の電話機の着信音を、所定の着信音で鳴らすことを指示して発呼すること
を特徴とするホームセキュリティシステム。
【請求項３】
請求項１または請求項２記載のホームセキュリティシステムであって、
前記サーバは、前記ゲートウェイからの通知を受け付けて、侵入者が検知されたことをあらかじめ登録された前記宅内の住人が所有する携帯電話に通知する通知手段を、さらに有すること
を特徴とするホームセキュリティシステム。
【請求項４】
宅内に配置されたゲートウェイと、当該ゲートウェイに接続されるサーバと、を有するホームセキュリティシステムが行う警告支援方法であって、
前記ゲートウェイは、侵入者が検知されたことを、前記サーバに通知する通知ステップを行い、
前記サーバは、
前記ゲートウェイからの通知を受け付けて、前記宅内の電話機と、あらかじめ登録された所定の電話機とを発呼する発呼ステップと、
前記宅内の電話機と前記所定の電話機とを接続する接続ステップと、を行うこと
を特徴とする警告支援方法。
【請求項５】
請求項４記載の警告支援方法であって、
前記発呼ステップは、前記宅内の電話機の着信音を、所定の着信音で鳴らすことを指示して発呼すること
を特徴とする警告支援方法。
【請求項６】
請求項４または請求項５記載の警告支援方法であって、
前記サーバは、前記ゲートウェイからの通知を受け付けて、侵入者が検知されたことをあらかじめ登録された前記宅内の住人が所有する携帯電話に通知する通知ステップを、さらに行うこと
を特徴とする警告支援方法。
【発明の詳細な説明】
【技術分野】
【０００１】
本発明は、ホームセキュリティシステムおよび警告支援方法に関する。
【背景技術】
【０００２】
ホームセキュリティシステムについては、例えば、特許文献１に記載されたものがある。特許文献１では、図３に示すように、通信網１と無線基地局装置５、６と緊急管理センタ２と、防犯ブザー１０、１１、１２とを含むシステムにおいて、緊急時には防犯ブザーを物理的に操作することにより防犯ブザー固有の防犯ＩＤをもった電波を発信し、電波を受信した無線基地局装置は防犯ＩＤに無線基地局ＩＤを付加した緊急情報を通信網を経由して緊急管理センタに送信し、緊急情報を受信した緊急管理センタは緊急情報に応じた連絡先に緊急事態発生の情報を通知する。
【特許文献１】特開２００５−３４６６５７
【発明の開示】
【発明が解決しようとする課題】
【０００３】
特許文献１では、防犯ブザーのスイッチを操作することにより、大音響の警告音を発生する。しかしながら、防犯ブザーの警告音は、あらかじめ登録されたブザーの音であるため、侵入者に対する威嚇効果が十分でない場合がある。
【０００４】
本発明は上記事情に鑑みてなされたものであり、本発明の目的は、侵入者に対してより威嚇効果の大きいホームセキュリティシステムおよび警告支援方法を提供することにある。
【課題を解決するための手段】
【０００５】
本発明は、宅内に配置されたゲートウェイと、当該ゲートウェイに接続されるサーバと、を有するホームセキュリティシステムであって、前記ゲートウェイは、侵入者が検知されたことを、前記サーバに通知し、前記サーバは、前記ゲートウェイからの通知を受け付けて、前記宅内の電話機と、あらかじめ登録された所定の電話機とを発呼し、前記宅内の電話機と前記所定の電話機とを接続する接続手段を、有する。
【０００６】
また、本発明は、宅内に配置されたゲートウェイと、当該ゲートウェイに接続されるサーバと、を有するホームセキュリティシステムが行う警告支援方法であって、前記ゲートウェイは、侵入者が検知されたことを、前記サーバに通知する通知ステップを行い、前記サーバは、前記ゲートウェイからの通知を受け付けて、前記宅内の電話機と、あらかじめ登録された所定の電話機とを発呼する発呼ステップと、前記宅内の電話機と前記所定の電話機とを接続する接続ステップと、を行う。
【発明の効果】
【０００７】
本発明によれば、侵入者に対して、より威嚇効果の高いホームセキュリティシステムおよび警告支援方法を提供することができる。
【発明を実施するための最良の形態】
【０００８】
以下、本発明の実施の形態について説明する。
【０００９】
図１は、本発明の実施の形態であるホームセキュリティシステムの構成図である。図示するホームセキュリティシステムは、サービスセンタに設置されたサーバ１１と、宅内１０に設置されたゲートウェイ１３と、を備える。
【００１０】
ゲートウェイ１３は、宅内１０で侵入者が検知されたことを、ネットワーク１２を介してサーバ１１に通報する。すなわち、ゲートウェイ１３は、人感センサ１４、ドアセンサ１５、ガラス破壊センサ１６などの複数のセンサと接続され、各センサが出力する異常信号に基づいて侵入者を検知したか否かを判別する。
【００１１】
人感センサ１４は、例えば、室内での人が放射する熱線の動きや変化などにより侵入者を感知し、異常信号をゲートウェイ１３に出力する。ドアセンサ１５は、ドアの開閉を検知し、異常信号をゲートウェイ１３に出力する。ガラス破壊センサ１６は、ガラスが破壊されたときの振動を検知し、異常信号をゲートウェイ１３に出力する。なお、図示するセンサ１４、１５、１６は例示であって、ゲートウェイ１３に接続されるセンサはこれに限定されるものでない。
【００１２】
ゲートウェイ１３は、宅内の住人が外出している警戒モードに設定されている状態で、いずれかのセンサから異常信号を受信すると、侵入者が検知されたことを示す侵入者検知信号を、ネットワーク１２を介してサービスセンタのサーバ１１に送信する。
【００１３】
サーバ１１は、ゲートウェイ１３から侵入者検知情報を受信すると、警備会社または通信事業者など（以下、「警備会社等」）の所定の電話機１８と侵入者を検知した宅内の電話機１７とを繋ぐ接続部１１１と、宅内の住人の携帯電話１９に通知する通知部１１２と、管理テーブル１１４と、を有する。
【００１４】
管理テーブル１１４には、宅毎に、ゲートウェイ１３を識別するゲートウェイＩＤと、宅内の電話機１７の電話番号と、住人が所有する携帯電話１９の電話番号またはメールアドレスと、が登録されている。
【００１５】
上記説明した、ゲートウェイ１３およびサーバ１１は、例えば、ＣＰＵと、メモリと、ＨＤＤ等の外部記憶装置と、入力装置と、出力装置と、ネットワークと接続するための通信制御装置と、を備えた汎用的なコンピュータシステムを用いることができる。このコンピュータシステムにおいて、ＣＰＵがメモリ上にロードされたゲートウェイ１３用またはサーバ１１用のプログラムを実行することにより、ゲートウェイ１３またはサーバ１１の各機能が実現される。
【００１６】
次に、ホームセキュリティシステムの動作について説明する。
【００１７】
図２は、ホームセキュリティシステムの動作を示すフローチャートである。
【００１８】
ゲートウェイ１３は、警戒モードにおいて、いずれかのセンサから異常信号を受信すると、侵入者が検知されたことを示す侵入者検知信号を、ネットワーク１２を介してサービスセンタのサーバ１１に送信する（Ｓ１１）。すなわち、ゲートウェイ１３は、当該ゲートウェイ１３に記憶されたゲートウェイＩＤを含む侵入者検知信号を生成し、送信する。
【００１９】
サーバ１１の通知部１１２は、侵入者検知信号のゲートウェイＩＤに対応する携帯電話の電話番号またはメールアドレスを管理テーブル１１４から特定する。そして、通知部１１２は、特定した携帯電話の電話番号またはメールアドレスを用いて、侵入者が検知された宅の住人の携帯電話１９に侵入者が検知されたことを通知する（Ｓ１２）。
【００２０】
例えば、電話番号が管理テーブル１１４に登録されている場合、通知部１１２は、当該携帯電話１９に対して発呼し、侵入者が検知された旨の音声メッセージを流すことが考えられる。また、メールアドレスが管理テーブル１１４に登録されている場合、通知部１１２は、侵入者が検知された旨のメールを当該メールアドレスをあて先として送信することが考えられる。なお、侵入者が検知された旨の音声メッセージやメールは、サーバ１１のメモリまたは外部記憶装置などにあらかじめ登録されているものとする。
【００２１】
これにより、侵入者が検知された宅の住人は、自宅に侵入者が検知されたこと、および、現時点で帰宅すると侵入者と鉢合わせするなどの危険があることを認識することができる。
【００２２】
そして、サーバ１１の接続部１１１は、侵入者検知信号のゲートウェイＩＤに対応する宅に設置された電話機１７の電話番号を管理テーブル１１４から特定する。そして、接続部１１１は、特定した電話番号の電話機１７と、警備会社等の電話機１８とを発呼する（Ｓ１３）。なお、警備会社等の電話機１８の電話番号は、サーバ１１のメモリまたは外部記憶装置にあらかじめ登録されているものとする。
【００２３】
また、接続部１１１は、特定した電話番号の電話機１７の着信音を、所定の着信音で鳴らすことを指示（例えば、発信元の電話番号を通知）して発呼する。ここで、宅内の電話機１７は、発信元の番号番号に応じて着信音を変えることができるものとする。本実施形態の宅内の電話機１７では、警備会社等の電話機１８の電話番号で発信された場合、威嚇効果の高い着信音（例えば、最大音量のブザー音など）を鳴らすように、あらかじめ設定しておくものとする。
【００２４】
そして、侵入者が検知された宅内の電話機１７と警備会社等の電話機１８との回線が、ネットワーク１２を介して繋がれる（Ｓ１４）。ここで、宅内の電話機１７は、自動着信可能な電話機であって、警備会社等の電話機１８がオフフックされることにより通話可能な状態になるものとする。すなわち、宅内の電話機１７は、自動着呼状態であって、かかってきた電話に自動で応答（着信）する。そして、宅内の電話機１７と警備会社等の電話機１８とが通話可能な状態になった後、警備会社等の警備担当者は、警備会社等の電話機１８を介して、侵入者に対して警告および威嚇する。
【００２５】
例えば、宅内の電話機１７が留守番電話、ファクシミリ電話などの場合、留守電モード（自動着呼状態）で発呼されると、所定の回数の着信音が鳴った後に自動着呼し、留守録機能が動作する。このとき、宅内の電話機１７はスピーカモードで動作するため、宅内の電話機１７は、スピーカホンモードで警備担当者の音声を宅内に出力する。
【００２６】
以上説明した本実施形態のホームセキュリティシステムでは、侵入者を検知すると、侵入者を検知した宅内の電話機と警備会社などの所定の電話機とを繋げる。これにより、警備会社等の警備担当者の音声で、侵入者に対して威嚇することができる。すなわち、警備担当者が、電話機を通じて侵入者に威嚇するため、防犯ブザーを鳴らしたり、あらかじめ登録された合成音で侵入者を威嚇する場合に比べて、威嚇効果をより向上させることができる。
【００２７】
また、本実施形態のホームセキュリティシステムでは、侵入者を検知した宅内の電話機の着信音を、所定の着信音で鳴らすことを指示して発呼する。これにより、自宅の電話機の通常時の着信音が威嚇効果の低い着信音の場合であっても、サーバが発呼する場合の着信音はあらかじめ電話機に設定された所定の着信音（例えば、最大音量のブザー音など）であるため、侵入者に対する威嚇効果を高めることができる。
【００２８】
また、本実施形態のホームセキュリティシステムでは、自宅に侵入者が検知されたことを、当該宅の住人の携帯電話に通知する。これにより、住人は、自宅に侵入者がいることを知らずに帰宅し、侵入者と鉢合わせしてしまうなどの危険を回避することができる。
【００２９】
また、本実施形態では、宅内に設置された既存の電話機を用いて侵入者を威嚇し、また携帯電話を用いて住人に侵入者が検知されたことを通知する。すなわち、既存の装置を活用できるため、より低コストでホームセキュリティシステムを構築することができる。
【００３０】
なお、本発明は上記実施形態に限定されるものではなく、その要旨の範囲内で数々の変形が可能である。例えば、侵入者が逃走する際に近隣の住人と鉢合わせするのを防止するために、侵入者が検知された宅から所定の範囲の各宅（例えば、マンションやアパートの場合は、当該建物の各宅）に、警戒警報を送信することとしてもよい。
【図面の簡単な説明】
【００３１】
【図１】本発明の実施形態に係るホームセキュリティシステムの構成図である。
【図２】ホームセキュリティシステムの処理のフローチャートである。
【図３】関連するホームセキュリティシステムの構成図である。
【符号の説明】
【００３２】
１１  サーバ
１２  ネットワーク
１３  ゲートウェイ
１４  人感センサ
１５  ドアセンサ
１６  ガラス破壊センサ
１７  宅内の電話機
１８  警備会社等の電話機
１９  携帯電話
【図１】
2008287485.tif 000003
【図２】
2008287485.tif 000004
【図３】
2008287485.tif 000005